(57)【要約】【課題】スライドレールを複数本、必要とせず、構造が簡単で、嵩が低く、軽量なものとし、さらに収納体を折り畳んだり、分離できるものとした両引き収納ケースを提供する。【解決手段】上方に開口１ａを有したケース体１と、前後に出入口２ａ、２ｂを有した収納体２とからなり、前記ケース体１の底板１１の下方に設けたスライド溝１２が、前記収納体２の底板２１の上面に突設したスライドレール２２に沿って、前記出入口２ａ、２ｂから前記ケース体１を収納体２の前方および後方に引き出せるようにしている。さらに、前記ケース体１の底板１１の前後端に上係合部４を有する操作レバー５が取り付けられ、この上係合部４に係脱自在とした下係合部６が前記収納体２の底板２１の前後端に設けられている。【選択図】図７
2020156657.tif 000002
【特許請求の範囲】
【請求項１】
上方に開口（１ａ）を有したケース体（１）と、前後に出入口（２ａ、２ｂ）を有した収納体（２）とからなり、前記ケース体（１）の底板（１１）の下方に設けたスライド溝（１２）が、前記収納体（２）の底板（２１）の上面に突設したスライドレール（２２）に沿って、前記出入口（２ａ、２ｂ）から前記ケース体（１）を収納体（２）の前方および後方に引き出せるようにした両引き収納ケースであって、
前記ケース体（１）の底板（１１）の前後端に上係合部（４）を有する操作レバー（５）が取り付けられ、この上係合部（４）に係脱自在とした下係合部（６）が前記収納体（２）の底板（２１）の前後端に設けられ、
前記ケース体（１）を収納体（２）に収納した状態にすると、前記ケース体（１）の前後端の操作レバー（５）の上係合部（４）と、前記収納体（２）の前後端の下係合部（６）どうしが係合して抜け止め状態となり、
前記ケース体（１）の前端の操作レバー（５）の操作によって、前記上係合部（４）と下係合部（６）との係合を解除して、前記ケース体（１）を収納体（２）から前方に引き出せるようにし、前記ケース体（１）を収納体（２）から前方に引き抜く寸前で、ケース体（１）の後端の上係合部（４）と、収納体（２）の前端の下係合部（６）とが係合して抜け止め状態となり、
前記ケース体（１）の後端の操作レバー（５）の操作によって、前記上係合部（４）と下係合部（６）との係合を解除して、前記ケース体（１）を収納体（２）から後方に引き出せるようにし、前記ケース体（１）を収納体（２）から後方に引き抜く寸前で、ケース体（１）の前端の上係合部（４）と、収納体（２）の後端の下係合部（６）とが係合して抜け止め状態となるようにしたことを特徴とする両引き収納ケース。
【請求項２】
前記ケース体（１）と前記収納体（２）の何れか一方または両方を合成樹脂製としたことを特徴とする請求項１に記載の両引き収納ケース。
【請求項３】
前記ケース体（１）は、底板（１１）の少なくとも四隅の４か所にローラー（１６）を設けたものとし、このローラー（１６）が前記ケース体（１）を収納体（２）に出し入れするときに、収納体（２）の底板（２１）に沿って転動するようにしたことを特徴とする請求項１または２に記載の両引き収納ケース。
【請求項４】
前記収納体（２）は、底板（２１）、両側板（２３）、天板（２４）、および前後口枠（２５ａ、２５ｂ）を組み立てて、前後に出入口（２ａ、２ｂ）を有した直方体形状とし、底板（２１）と両側板（２３）とは回動自在に連結して折り畳み自在とし、底板（２１）の両側端に両側板（２３）が起立した状態と、底板（２１）の上面に両側板（２３）が倒れて沿った状態とになるようにしたことを特徴とする請求項１〜３のいずれかに記載の両引き収納ケース。
【請求項５】
前記ケース体（１）は、側面視において起立部（１８ａ）と水平部（１８ｂ）とから略Ｌ字状に形成された窪み部（１８）が底板（１１）に設けられており、前記操作レバー（５）は、側面視において起立部（５ａ）と水平部（５ｂ）とから略Ｌ字状に形成されており、この操作レバー（５）が前記窪み部（１８）に収納されていることを特徴とする請求項１〜４のいずれかに記載の両引き収納ケース。
【請求項６】
前記操作レバー（５）は、起立部（５ａ）の上端に水平方向に操作片（７）を突設し、水平部（５ｂ）を二股にして、それぞれの先端側から基端上方にかけて戻しバネ（８）を設け、それぞれの基端側の下面に前記上係合部（４）を設けていることを特徴とする請求項１〜５のいずれかに記載の両引き収納ケース。
【請求項７】
前記窪み部（１８）の水平部（１８ｂ）の下方に支持板（３２）を取り付け、この水平部（１８ｂ）との間に形成された収容空間（Ｓ2 ）において、前記操作レバー（５）の水平部（５ｂ）の先端が軸支されると共に、戻しバネ（８）の作用端（８ａ）が前記水平部（１８ｂ）に当接するようにし、前記操作レバー（５）が水平部（５ｂ）の先端を支点として上下動するようにしていることを特徴とする請求項６に記載の両引き収納ケース。
【請求項８】
前記上係合部（４）は、前記水平部（５ｂ）の下方に向かって上係合壁（４ａ）を有しており、この上係合壁（４ａ）に、外側に向けて外側三角リブ（４ｂ）を有すると共に、内側に向けて内側三角リブ（４ｃ）を有したものとし、
前記下係合部（６）は、前記収納体（２）の底板（２１）に突設したスライドレール（２２）の前後端において、このスライドレール（２２）の両側に位置する底板（２１）の外端から順に前記第一下係合壁（６ａ）、第二下係合壁（６ｂ）、第三下係合壁（６ｃ）および第四下係合壁（６ｄ）を設けており、前記第一下係合壁（６ａ）に前記凹部（６ｅ）を設けたものとし、前記第三下係合壁（６ｃ）に前記凹部（６ｆ）を設けたものとし、
前記上係合部（４）の上係合壁（４ａ）は、前記下係合部（６）の第一下係合壁（６ａ）や第三下係合壁（６ｃ）に係合するようにし、前記上係合部（４）の外側三角リブ（４ｂ）は、前記下係合部（６）の第一下係合壁（６ａ）の凹部（６ｅ）に入り込むようにし、前記上係合部（４）の内側三角リブ（４ｃ）は、前記下係合部（６）の第三下係合壁（６ｃ）の凹部（６ｆ）に入り込んだり、第二下係合壁（６ｂ）や第四下係合壁（６ｄ）を乗り越えるようにしていることを特徴とする請求項５〜７のいずれかに記載の両引き収納ケース。
【発明の詳細な説明】
【技術分野】
【０００１】
この発明は、収納体の前後の出入口からケース体を前方および後方に引き出せるようにした両引き収納ケースに関するものである。
【背景技術】
【０００２】
従来、引出しをキャビネットの前方からも後方からも引き出すことができる双方向に引き出し自在な両引き引出し構造が存在する。前記引出し構造は、収納箱体、前板および後板で構成され、前後板はキャビネットの側板に設けた固定レール体に摺動自在の支持レールをそれぞれ有したものとしている（特許文献１）。
【０００３】
さらに従来から、収納体の側面の上下段に２本のスライドレールを２組装備して、別々の方向に伸延させる構造を採用した左右両引き可能な構成のキャビネットが存在する（特許文献２）。
【０００４】
また従来、前面を開口した収納体と、この収納体の前面から出し入れ自在としたケース体とからなる引き出し式の収納ケースが存在する（特許文献３、４）。
【先行技術文献】
【特許文献】
【０００５】
【特許文献１】特開２００４−１８８１１０号公報
【特許文献２】特開２００６−１８７３１８号公報
【特許文献３】特開２０１０−５２２４号公報
【特許文献４】実用新案登録第３０２０２９３号公報
【発明の概要】
【発明が解決しようとする課題】
【０００６】
従来の特許文献１に記載された両引き引出し構造は、引出しをキャビネットの一方側から引き出しても、他方側からはその状況が目隠しされ、かつ引出しの収納箱体の位置を常に正確に位置決めできるとしている。
【０００７】
しかしながら、前記両引き引出し構造では、固定レール体や支持レールをそれぞれ複数本、必要としているため、構造が複雑なものになって製造コストが高くついたり、嵩が高いものになって、使用する時の設置場所の確保が困難になったりするという課題を有していた。
【０００８】
さらに、従来の特許文献２に記載された左右両引きキャビネットは、収納体の内壁の両側面にスライドレールが上下２段に固着され、上段の２本が一方向に伸延し、下段の２本が他方向に移動する構成としている。
【０００９】
そのため、前記左右両引きキャビネットでも、スライドレールを複数本、必要としているため、構造が複雑なものになって製造コストが高くついたり、嵩が高いものになって、使用する時の設置場所の確保が困難になったりするという課題を有していた。
【００１０】
また、従来の特許文献３に記載された引き出し式収納ケースは、収納体の上面、下面、左右両側面および背面が一体的に形成されている。
【００１１】
そのため、前記引き出し式収納ケースでは、収納体の上面、下面、左右両側面および背面に分離することができず、嵩の高いものとなっており、使用する前の保管や運搬に適さないという課題を有し、また収納体の前面からしかケース体が出し入れできないので、汎用性に乏しいという課題を有していた。
【００１２】
さらに、従来の特許文献４に記載された収納ケースは、フレーム本体（収納体）と天板と引出しとから構成される収納ケースにおいて、フレーム本体に一体成型された中空の支柱状部材によってフレーム本体と天板とを離間して結合している。
【００１３】
そのため、前記収納ケースでは、フレーム本体は天板を分離することができるが、フレーム本体の嵩が依然として高いものとなっており、使用する前の保管や運搬に適さないという課題を有し、またフレーム本体の前面からしか引き出しが出し入れできないので、汎用性に乏しいという課題を有していた。
【００１４】
そこで、この発明は、上記従来の課題を解決することを目的としており、スライドレールを収納体の底部に設けることにより、スライドレールを複数本、必要とせず、構造が簡単で、嵩が低く、軽量なものとし、さらに収納体を折り畳んだり、分離できるものとした両引き収納ケースを提供することを目的としてなされたものである。
【課題を解決するための手段】
【００１５】
この発明の両引き収納ケースは、上方に開口１ａを有したケース体１と、前後に出入口２ａ、２ｂを有した収納体２とからなり、前記ケース体１の底板１１の下方に設けたスライド溝１２が、前記収納体２の底板２１の上面に突設したスライドレール２２に沿って、前記出入口２ａ、２ｂから前記ケース体１を収納体２の前方および後方に引き出せるようにしている。さらに、前記ケース体１の底板１１の前後端に上係合部４を有する操作レバー５が取り付けられ、この上係合部４に係脱自在とした下係合部６が前記収納体２の底板２１の前後端に設けられている。そして、前記ケース体１を収納体２に収納した状態にすると、前記ケース体１の前後端の操作レバー５の上係合部４と、前記収納体２の前後端の下係合部６どうしが係合して抜け止め状態となるようにしている。さらに、前記ケース体１の前端の操作レバー５の操作によって、前記上係合部４と下係合部６との係合を解除して、前記ケース体１を収納体２から前方に引き出せるようにし、前記ケース体１を収納体２から前方に引き抜く寸前で、ケース体１の後端の上係合部４と、収納体２の前端の下係合部６とが係合して抜け止め状態となるようにしている。また、前記ケース体１の後端の操作レバー５の操作によって、前記上係合部４と下係合部６との係合を解除して、前記ケース体１を収納体２から後方に引き出せるようにし、前記ケース体１を収納体２から後方に引き抜く寸前で、ケース体１の前端の上係合部４と、収納体２の後端の下係合部６とが係合して抜け止め状態となるようにしている。
【００１６】
この発明の両引き収納ケースにおいて、前記ケース体１は、底板１１の少なくとも四隅の４か所にローラー１６を設けたものとし、このローラー１６が前記ケース体１を収納体２に出し入れするときに、収納体２の底板２１に沿って転動するようにしている。
【００１７】
この発明の両引き収納ケースにおいて、前記収納体２は、底板２１、両側板２３、天板２４、および前後口枠２５ａ、２５ｂを組み立てて、前後に出入口２ａ、２ｂを有した直方体形状とし、底板２１と両側板２３とは回動自在に連結して折り畳み自在とし、底板２１の両側端に両側板２３が起立した状態と、底板２１の上面に両側板２３が倒れて沿った状態とになるようにしている。
【００１８】
この発明の両引き収納ケースにおいて、前記ケース体１は、側面視において起立部１８ａと水平部１８ｂとから略Ｌ字状に形成された窪み部１８が底板１１に設けられており、前記操作レバー５は、側面視において起立部５ａと水平部５ｂとから略Ｌ字状に形成されており、この操作レバー５が前記窪み部１８に収納されている。
【００１９】
この発明の両引き収納ケースにおいて、前記操作レバー５は、起立部５ａの上端に水平方向に操作片７を突設し、水平部５ｂを二股にして、それぞれの先端側から基端上方にかけて戻しバネ８を設け、それぞれの基端側の下面に前記上係合部４を設けている。
【００２０】
この発明の両引き収納ケースにおいて、前記窪み部１８の水平部１８ｂの下方に支持板３２を取り付け、この水平部１８ｂとの間に形成された収容空間Ｓ2 において、前記操作レバー５の水平部５ｂの先端が軸支されると共に、戻しバネ８の作用端８ａが前記水平部１８ｂに当接するようにし、前記操作レバー５が水平部５ｂの先端を支点として上下動するようにしている。
【００２１】
この発明の両引き収納ケースにおいて、前記上係合部４は、前記水平部５ｂの下方に向かって上係合壁４ａを有しており、この上係合壁４ａに、外側に向けて外側三角リブ４ｂを有すると共に、内側に向けて内側三角リブ４ｃを有したものとしている。さらに、前記下係合部６は、前記収納体２の底板２１に突設したスライドレール２２の前後端において、このスライドレール２２の両側に位置する底板２１の外端から順に前記第一下係合壁６ａ、第二下係合壁６ｂ、第三下係合壁６ｃおよび第四下係合壁６ｄを設けており、前記第一下係合壁６ａに前記凹部６ｅを設けたものとし、前記第三下係合壁６ｃに前記凹部６ｆを設けたものとしている。そして、前記上係合部４の上係合壁４ａは、前記下係合部６の第一下係合壁６ａや第三下係合壁６ｃに係合するようにし、前記上係合部４の外側三角リブ４ｂは、前記下係合部６の第一下係合壁６ａの凹部６ｅに入り込むようにし、前記上係合部４の内側三角リブ４ｃは、前記下係合部６の第三下係合壁６ｃの凹部６ｆに入り込んだり、第二下係合壁６ｂや第四下係合壁６ｄを乗り越えるようにしている。
【発明の効果】
【００２２】
この発明の両引き収納ケースは、以上に述べたように構成されているので、スライドレールを複数本、必要とせず、構造が簡単で、嵩が低く、軽量なものとなり、製造コストが高くついたり、使用する時の設置場所の確保が困難になったりすることのないものとなった。
【００２３】
さらに、この発明の両引き収納ケースは、収納体を折り畳んだり、分離できるものとしたので、使用する前の保管や運搬にも適するものとなった。
【図面の簡単な説明】
【００２４】
【図１】この発明の両引き収納ケースを斜め上方から見た斜視図である。
【図２】この発明の両引き収納ケースを斜め下方から見た斜視図である。
【図３】この発明の両引き収納ケースの正面図である。
【図４】図３中のＡーＡ線による断面図である。
【図５】図４中の円で囲んだ部分の拡大図である。
【図６】この発明の両引き収納ケースの天板を外した状態の斜視図である。
【図７】この発明の両引き収納ケースの分解斜視図（天板を除く）である。
【図８】この発明の両引き収納ケースのケース体を斜め下方から見た斜視図である。
【図９】この発明の両引き収納ケースの操作レバーを斜め上方から見た斜視図である。
【図１０】この発明の両引き収納ケースの操作レバーを斜め下方から見た斜視図である。
【図１１】この発明の両引き収納ケースの収納体の底板と両側板の折り畳み状態を示す斜視図である。
【図１２】この発明の両引き収納ケースの収納体の底板の斜視図である。
【図１３】図１２中の円で囲んだ部分の拡大図である。
【図１４】（ａ）はこの発明の両引き収納ケースの収納体にケース体が納まっているときの収納体とケース体の係止状態を示す断面説明図であり、（ｂ）は（ａ）中の円で囲んだ部分の拡大図である。
【図１５】（ａ）はこの発明の両引き収納ケースの収納体からケース体がすべて引き出される手前での係止状態を示す断面説明図であり、（ｂ）は（ａ）中の円で囲んだ部分の拡大図である。
【図１６】この発明の両引き収納ケースの操作レバーの上係合部と収納体の下係合部との係合関係を解り易くするための説明図であり、（ａ）はケース体の前端の操作レバーの上係合部を示しており、（ｂ）はケース体の後端の操作レバーの上係合部を示しており、（ｃ）は収納体の前端の下係合部を示しており、（ｄ）は収納体の後端の下係合部を示している。
【発明を実施するための形態】
【００２５】
以下、この発明の両引き収納ケースを実施するための形態を、図面に基づいて詳細に説明する。
【００２６】
この発明の両引き収納ケースは、図１〜８に示したように、上方に開口１ａを有した合成樹脂製のケース体１と、前後に出入口２ａ、２ｂを有した合成樹脂製の収納体２とからなる。そして、前記ケース体１の底板１１の下方の中央に設けたスライド溝１２が、前記収納体２の底板２１の上面の中央に突設したスライドレール２２に沿って、前記出入口２ａ、２ｂから前記ケース体１を収納体２の前方および後方に引き出せるようにしている。
【００２７】
前記ケース体１は、合成樹脂で一体成形したものとしており、底板１１、前後板１３、１４および両側板１５からなり、上方に開口１ａを有したものとしている。さらに、前記底板１１の下方の中央には、前記スライド溝１２が設けられている。そして、このケース体１は、前記開口１ａ側から底板１１側になるに従って徐々に狭まった横長の逆台形台とした形状としている。したがって、ケース体１どうしを上下に複数段に重ね合わせてコンパクトな状態にすることができ、複数個のケース体１を運搬したり、保管したりするときなどに適したものとなる。
【００２８】
さらに、前記ケース体１は、図８に示したように、底板１１の少なくとも四隅の４か所、図示したものでは、これら４か所と、底板１１の両側板１５近くに３か所ずつの合計１０か所にローラー１６を設けたものとしている。このローラー１６は、ケース体１を収納体２に出し入れするときに、収納体２の底板２１に沿って転動し、ケース体１の移動をた易くするものである。また、前記ケース体１には、図６、７に示したように、複数の仕切り板３が備えられており、これら仕切り板３の下方に突設した係止片３ａを、底板１１に形成した係止穴１１ａに係止させると共に、前記仕切り板３の両側端３ｂを、両側板１５に突設した挟持体１５ａに挟み込むことにより、ケース体１の内部を複数個所に仕切れるようにしている。なお、前記ケース体１の底板１１の下面には、図８に示したように、必要に応じてこの底板１１を補強するために、多数のリブ１７が格子状に突設されている。
【００２９】
前記ケース体１の底板１１の下面の前後端の中央部には、上係合部４を有する操作レバー５が取り付けられており、この上係合部４に係脱自在とした下係合部６が前記収納体２の底板２１の上面の前後端の中央部に設けられている。
【００３０】
さらに、前記ケース体１は、図４、５に示したように、側面視において起立部１８ａと水平部１８ｂとから略Ｌ字状に形成された窪み部１８が底板１１に設けられている。前記操作レバー５は、側面視において起立部５ａと水平部５ｂとから略Ｌ字状に形成されている。そして、この操作レバー５が前記窪み部１８に収納されている。したがって、前記操作レバー５は、前記ケース体１の前後端に飛び出すようなこともなく、邪魔になるようなことはない。
【００３１】
なお、前記ケース体１は、図示したものでは、全体を合成樹脂製として軽量化を図っているが、操作レバー５やローラー１６などは合成樹脂製以外のものとしてもよく、少なくとも主体といえる部分が合成樹脂製であればよい。
【００３２】
前記操作レバー５は、図９、１０に示したように、起立部５ａの上端に水平方向に操作片７を突設し、水平部５ｂを二股にして、それぞれの先端側から基端上方にかけて戻しバネ８を設け、それぞれの基端側の下面に前記上係合部４を設けている。この操作レバー５は、使用者が前記操作片７に指を引っ掛けて操作するものであるが、図１５に示したような前記操作レバー５の起立部５ａまたは操作片７に設けた引っ掛け孔９に対抗する前記ケース体１の起立部１８ａまたは後に述べる延長部１８ｃに設けた差し込み孔１９から、棒や小型ドライバー等を差し込んで、その先端を前記引っ掛け孔９に引っ掛けることによっても操作できるようにしている。
【００３３】
前記操作レバー５の起立部５ａと操作片７は、図５、１４に示したように、前記ケース体１の起立部１８ａと、この起立部１８ａを外方向に延長した延長部１８ｃと、ケース体１の前後板１３、１４に形成された開口部１３ａ、１４ａ上端の引手部３１で囲まれた収容空間Ｓ1 に収容されており、前記操作レバー５の水平部５ｂは、前記窪み部１８の水平部１８ｂの下方に支持板３２を取り付け、この水平部１８ｂとの間に形成された収容空間Ｓ2 に収容されている。そして、この収容空間Ｓ2 において、前記操作レバー５の水平部５ｂの先端が軸支されると共に、戻しバネ８の作用端８ａが前記水平部１８ｂに当接するようにし、前記操作レバー５が水平部５ｂの先端を支点として上下動するようにしている。
【００３４】
前記上係合部４は、図９、１０に示したように、前記水平部５ｂの下方に向かって上係合壁４ａを有しており、この上係合壁４ａに、外側に向けて外側三角リブ４ｂを有すると共に、内側に向けて内側三角リブ４ｃを有したものとしている。そして、前記上係合壁４ａは、後に述べる収納体２の下係合部６の第一下係合壁６ａや第三下係合壁６ｃに係合するようにしている。外側三角リブ４ｂは、前記第一下係合壁６ａの凹部６ｅに入り込んだり、前記第一下係合壁６ａや、後に述べる収納体１の下係合部６の第二下係合壁６ｂや第四下係合壁６ｄを乗り越えるようにしている。さらに、内側三角リブ４ｃは、前記第三下係合壁６ｃの凹部６ｆに入り込んだり、前記第一下係合壁６ａや第二下係合壁６ｂや第四下係合壁６ｄを乗り越えるようにしている。
【００３５】
前記下係合部６は、図５、１２、１３に示したように、収納体２の底板２１に突設したスライドレール２２の前後端において、このスライドレール２２の両側に位置する底板２１の外端から順に前記第一下係合壁６ａ、第二下係合壁６ｂ、第三下係合壁６ｃおよび第四下係合壁６ｄを設けており、前記第一下係合壁６ａに前記凹部６ｅを設けたものとし、前記第三下係合壁６ｃに前記凹部６ｆを設けたものとしている。すなわち、前記下係合部６は、前記スライドレール２２の前後端において、このスライドレール２２の両側に位置する底板２１に設けられた外側窪み部２１ａの外壁を前記第一下係合壁６ａとしており、前記外側窪み部２１ａの内壁を前記第二下係合壁６ｂとしている。そして、前記下係合部６は、前記外側窪み部２１ａの内側にもうけられた内側窪み部２１ｂの外壁を前記三下係合壁６ｃとしており、前記内側窪み部２１ｂの内壁を前記第四下係合壁６ｄとしている。さらに、前後の内側窪み部２１ｂどうしは、スライドレール２２近辺の両側に沿って凹設した長溝２１ｃによって連接されている。なお、前記長溝２１ｃは、収納体２の底板２１のスライドレール２２近辺を補強するものであるので、必要に応じて設けたものとすればよい。
【００３６】
前記収納体２は、図２、６、７、１１に示したように、前記底板２１、両側板２３、天板２４、および前後口枠２５ａ、２５ｂを組み立てて、前後に出入口２ａ、２ｂを有した直方体形状としている。なお、底板２１と両側板２３とは、底板２１の両側端に両側板２３の各側端を軸支するなどして回動自在に連結して折り畳み自在とし、図６、７に示したような底板２１の両側端に両側板２３が起立した状態と、図１１に示したような底板２１の上面に両側板２３が倒れて沿った状態とになるようにしている。したがって、前記収納体２を組み立てる前は、コンパクトな状態になっており、複数個の収納体２を運搬したり、保管したりするときなどに適したものとなる。なお、前記収納体２の底板２１と両側板２３のそれぞれの外面には、図２などに示したように、必要に応じてこれら底板２１と両側板２３を補強するために、多数のリブ２６が格子状に突設されている。
【００３７】
前記収納体２を組み立てるには、次のようにして行う。先ず、図１１に示したような底板２１の上面に倒れて沿った状態の両側板２３を底板２１の両側端に起立させ、図６、７に示したように、両側板２３の前後端に設けた円柱状の突起２３ａに、前後口枠２５ａ、２５ｂの両側端に設けた挿入穴２７を差し込む。そして、前後口枠２５ａ、２５ｂの下端が底板２１の前後端の上面に当接するようにして、前後口枠２５ａ、２５ｂを収納体２の前後端に取り付ける。次に、前後口枠２５ａ、２５ｂの上端および両側板２３の上端に天板２４の周囲が沿うようにし、天板２４の周囲に設けたねじ挿入孔２８から、前後口枠２５ａ、２５ｂの上端および両側板２３の上端に設けたねじ止め穴２９にねじＳをねじ込めば、天板２４が前後口枠２５ａ、２５ｂおよび両側板２３に固定され、前記収納体２は組み立てられる。
【００３８】
なお、前記収納体２は、図示したものでは、全体を合成樹脂製として軽量化を図っているが、スライドレール２２や前後口枠２５ａ、２５ｂなどは合成樹脂製以外のものとしてもよく、少なくとも主体といえる部分が合成樹脂製であればよい。
【００３９】
そこで、この発明の両引き収納ケースにおいて、前記ケース体１を収納体２の出入口２ａ、２ｂから差し込んで、ケース体１を収納体２に収納した状態にすると、前記ケース体１の前後端の操作レバー５の上係合部４と、前記収納体２の前後端の下係合部６どうしが係合して抜け止め状態となる。
【００４０】
すなわち、前記ケース体１を収納体２に収納した状態では、図１４（ａ）、（ｂ）に示したように、前記操作レバー５の上係合部４の上係合壁４ａが、前記下係合部６の第一下係合壁６ａに係合して抜け止め状態となる。この際、前記操作レバー５の上係合部４の外側三角リブ４ｂは、前記収納体２の下係合部６の第一下係合壁６ａの凹部６ｅに入り込んでいる。
【００４１】
次に、前記ケース体１の前端の操作レバー５の操作によって、前記上係合部４と下係合部６との係合を解除して、前記ケース体１を収納体２から前方に引き出せるようにし、前記ケース体１を収納体２から前方に引き抜く寸前で、ケース体１の後端の上係合部４と、収納体２の前端の下係合部６とが係合して抜け止め状態となるようにしている。
【００４２】
すなわち、前記ケース体１の前板１３に形成された開口部１３ａに手を入れ、操作レバー５の操作片７を押上げた状態で、開口部１３ａ上端の引手部３１を前方に引くと、前記操作レバー５の上係合部４の上係合壁４ａが持ち上げられ、この上係合壁４ａと前記収納体２の下係合部６の第一下係合壁６ａとの係合が外れる。そして、前記ケース体１の後端の操作レバー５の上係合部４の内側三角リブ４ｃが、収納体２の後端の第二下係合壁６ｂおよび第四下係合壁６ｄを乗り越えることにより、前記ケース体１を収納体２から前方に引き出せるようになる（図１６（ｂ）、（ｄ）参照）。
【００４３】
そして、前記ケース体１を収納体２から前方に引き抜く寸前では、図１５（ａ）、（ｂ）に示したように、前記ケース体１の後端の操作レバー５の上係合部４の上係合壁４ａが、前記収納体２の前端の下係合部６の第三下係合壁６ｃに係合して、それ以上引き抜けなくなり、抜け止め状態となる。この際、前記操作レバー５の上係合部４の内側三角リブ４ｃは、前記収納体２の下係合部６の第三下係合壁６ｃの凹部６ｆに入り込んでいる。
【００４４】
また、前記ケース体１の後端の操作レバー５の操作によって、前記上係合部４と下係合部６との係合を解除して、前記ケース体１を収納体２から後方に引き出せるようにし、前記ケース体１を収納体２から後方に引き抜く寸前で、ケース体１の前端の上係合部４と、収納体２の後端の下係合部６とが係合して抜け止め状態となるようにしている。
【００４５】
すなわち、この場合は、前記ケース体１の後板１４に形成された開口部１４ａに手を入れ、操作レバー５の操作片７を押上げた状態で、開口部１４ａ上端の引手部３１を後方に引くと、前記操作レバー５の上係合部４の上係合壁４ａが持ち上げられ、この上係合壁４ａと前記収納体２の下係合部６の第一下係合壁６ａとの係合が外れる。そして、前記ケース体１の前端の操作レバー５の上係合部４の内側三角リブ４ｃが、収納体２の前端の第二下係合壁６ｂおよび第四下係合壁６ｄを乗り越えることにより、前記ケース体１を収納体２から後方に引き出せるようになる（図１６（ａ）、（ｃ）参照）。
【００４６】
そして、前記ケース体１を収納体２から後方に引き抜く寸前でも、前記ケース体１の前端の操作レバー５の上係合部４の上係合壁４ａが、前記収納体２の後端の下係合部６の第三下係合壁６ｃに係合して、それ以上引き抜けなくなり、抜け止め状態となる。この際、前記操作レバー５の上係合部４の内側三角リブ４ｃは、前記収納体２の下係合部６の第三下係合壁６ｃの凹部６ｆに入り込んでいる。
【００４７】
また、前記収納体２から前方に引き抜く寸前で抜け止め状態としたケース体１を、この収納体２から取り外したい場合には、図１５（ａ）、（ｂ）に示した状態において、前記ケース体１の差し込み孔１９から前記操作レバー５の引っ掛け孔９に向かって棒や小型ドライバー等を差し込んで、その先端を引っ掛け孔９に引っ掛けて、操作レバー５を操作することにより、その操作レバー５の上係合部４の上係合壁４ａと、前記収納体２の下係合部６の第三下係合壁６ｃとの係合を外せば、操作レバー５の上係合部４の内側三角リブ４ｃが前記第二下係合壁６ｂおよび第一下係合壁６ａを乗り越え、そのまま引き出すことができる。
【００４８】
さらに、前記収納体２から前方に引き抜いたケース体１を再度、その収納体２に差し込んだ状態にする場合には、ケース体１の後端を収納体２の前端の出入口２ａに合わせ、ケース体１をそのままの収納体２側に押して行く。すると、前記操作レバー５の外側三角リブ４ｂが、前記収納体２の第一下係合壁６ａの上端に当たることにより、操作レバー４が持ち上げられ、この第一下係合壁６ａを乗り越え、さらに前記収納体２の第二下係合壁６ａ、第四下係合壁６ｄも同様に乗り越えて行き（図１６（ｂ）、（ｃ）参照）、ケース体１が収納体２内にすべて差し込まれることにより、最終的には前記図１４（ａ）、（ｂ）に示したように、ケース体１の前後端に設けられた操作レバー５の上係合部４と、収納体２の前後端に設けられた下係合部６どうしが係合して抜け止め状態となる。
【００４９】
なお、前記収納体２から後方に引き抜く寸前で抜け止め状態としたケース体１を、この収納体２から取り外したい場合や、前記収納体２から後方に引き抜いたケース体１を再度、その収納体２に差し込んだ状態にする場合にも、先に述べた前方からの場合に順じた操作により行うことができる。
【００５０】
この発明の両引き収納ケースは、以上に述べたように構成されているので、先にも述べたように、スライドレール２２を複数本、必要とせず、構造が簡単で、嵩が低く、軽量なものとなり、製造コストが高くついたり、使用する時の設置場所の確保が困難になったりすることのないものとなった。
【００５１】
さらに、この発明の両引き収納ケースは、先にも述べたように、収納体２を折り畳んだり、分離できるものとしたので、使用する前の保管や運搬にも適するものとなった。
【符号の説明】
【００５２】
１  ケース体
１ａ  開口
２  収納体
２ａ  出入口
２ｂ  出入口
４  上係合部
４ａ  上係合壁
４ｂ  外側三角リブ
４ｃ  内側三角リブ
５  操作レバー
５ａ  起立部
５ｂ  水平部
６  下係合部
６ａ  第一係合壁
６ｂ  第二係合壁
６ｃ  第三係合壁
６ｄ  第四係合壁
６ｅ  凹部
６ｆ  凹部
７  操作片
８  戻しバネ
８ａ  作用端
１１  底板
１２  スライド溝
１６  ローラー
１８  窪み部
１８ａ  起立部
１８ｂ  水平部
２１  底板
２２  スライドレール
２３  側板
２４  天板
２５ａ  前口枠
２５ｂ  後口枠
３２  支持板
Ｓ1 収容空間
Ｓ2 収容空間
【図１】
2020156657.tif 000003
【図２】
2020156657.tif 000004
【図３】
2020156657.tif 000005
【図４】
2020156657.tif 000006
【図５】
2020156657.tif 000007
【図６】
2020156657.tif 000008
【図７】
2020156657.tif 000009
【図８】
2020156657.tif 000010
【図９】
2020156657.tif 000011
【図１０】
2020156657.tif 000012
【図１１】
2020156657.tif 000013
【図１２】
2020156657.tif 000014
【図１３】
2020156657.tif 000015
【図１４】
2020156657.tif 000016
【図１５】
2020156657.tif 000017
【図１６】
2020156657.tif 000018